(57)【要約】【課題】彎曲しにくい壁紙および狭隘な壁面幅全体を利用可能にする額縁を提供する。【解決手段】壁紙を壁紙表紙と紙状素材とを一体化したものとし、紙状素材には凸起を設けた素材を使用して、壁紙の剛性を高めて彎曲しにくい壁紙とした。また、額縁としては下額縁と上額縁とからなる額縁を採用し、上額縁は下額縁に対して開閉可能な構造とし、かつ一方の額縁に設けられた凹溝と他方の額縁に設けられた凸起条とが嵌合する構造の額縁とした。【選択図】    図１
2007284819.tif 000002
【特許請求の範囲】
【請求項１】
壁紙表紙と凸起を有する紙状素材とから構成される壁紙であって、壁紙表紙の裏面と凸起を有する紙状素材の凸起のない面とが一体化されたこと、を特徴とする壁紙
【請求項２】
請求項１記載の壁紙を挟持する額縁であって、壁面に取り付けられる下額縁と上額縁とからなり、下額縁の凹部または凸起と上額縁の凸起または凹部とが相互に嵌合する構造を有すること、を特徴とする額縁。
【請求項３】
請求項１記載の壁紙と請求項２記載の額縁とからなること、を特徴とする額。
【発明の詳細な説明】
【技術分野】
【０００１】
彎曲しにくい壁紙および狭隘な壁面でも壁面幅全体を利用可能にする額縁に関する。
【背景技術】
【０００２】
銭湯の浴場の壁面には、絵付タイルで、種々の絵、例えば富士山・松、等が描かれていて、入浴者はそれらの絵を観て、ゆったりとくつろいだ快適な気分で入浴を楽しむことができるようになっている。
【０００３】
しかしながら、家庭の風呂場やホテルの室内に設置された比較的小さな浴室（以下適宜「浴室」と総称する。）にあっては、浴室の湿気・熱に耐えうる素材で製作された絵・写真等の壁紙を容易に入手することが困難な上に、壁紙を浴室の壁面に接着しても浴室の湿気と熱で壁紙が彎曲してしまうこと、また、浴室の壁面部分が狭隘なため大きな絵・写真等を取替容易に保持できる額が見当たらない等の事情から、家庭の風呂場やホテルの室内の浴室等の狭隘な壁面に大きな壁紙を設けるには困難があった。
【０００４】
【特許文献１】特許電子図書館の公報テキスト検索（公開特許公報）で、以下の条件で検索したが、該当すると思料できるものはありません。                                      「要約と請求の範囲」  「風呂  浴場  浴室  銭湯」                    ＡＮＤ  「要約と請求の範囲」  「壁  壁面」                                  ＡＮＤ  「要約と請求の範囲」  「飾  絵  絵画  写真」                                  発見された件数は、６２件
【発明の開示】
【発明が解決しようとする課題】
【０００５】
本願発明の課題は、上記のような事情のもとで考えだされたもので、壁紙を浴室の壁面に使用しても浴室の湿気と熱に対して彎曲しにくい壁紙を提供することにある。
【０００６】
また、本願発明の課題は、浴室等の狭隘な壁面にも、壁面幅全体を利用可能にする額縁を提供することにある。
【課題を解決するための手段】
【０００７】
本願発明は、壁紙表紙の裏面と凸起を有する紙状素材の凸起のない面とを一体化することにより、壁紙の剛性を高め、浴室の湿気と熱に対して彎曲しにくい構造の壁紙とした。
【０００８】
また、浴室の壁面に設置する額縁の構造を、壁面に取り付けられる下額縁と開閉あるいは取り外し可能な上額縁と分け、閉時には下額縁の凹部または凸起と上額縁の凸起または凹部とが相互に嵌合して壁紙を挟持し得る構造とした。
【発明の効果】
【０００９】
壁紙表紙に裏打ちされた凸起を有する紙状素材が補強材となり、壁紙全体として剛性が高められたことから、彎曲しにくい壁紙となった。
また、凸起を有する紙状素材で裏打ち補強することから、壁紙表紙は通常の薄い素材で済むことになり、印刷等が容易に行えるようになった。このことは、特に個々人がデジタルカメラ等による写真を印刷・利用する場合に、その効果は大きい。
さらに、剛性が高められたことから、浴室に使用した場合、浴室内に立ち込める蒸気と熱に対しても彎曲しにくいものとなった。
【００１０】
凸起を有する紙状素材に溶融・接着機能を有する材料を使用する場合は、紙状素材の周辺および内部の数ヶ所を溶融すれば壁紙表紙と気密性を確保して一体化することが容易にでき、またこの場合壁紙表紙は表面のみ耐水処理すれば足りることになるから、簡便に気密性ある彎曲しにくい壁紙を製作することができる。この機能の有用性は、特に個人が自作の印刷物・写真・絵画等を利用する場合に、大きなものとなる。
【００１１】
また、壁面に設置する額縁の構造を、壁面に取り付けられる下額縁と開閉できる上額縁と分け、閉時には、下額縁の凹部または凸起と上額縁の凸起または凹部とが相互に容易に嵌合して壁紙を挟持し得る構造としたことから、狭隘な壁面幅全体を利用することが可能となった。
この効果は、浴室等の狭隘な壁面で囲まれる場所に特に有効である。
【００１２】
さらに、壁面に設置する額縁の構造を、壁面に取り付けられる下額縁から上額縁を容易に開閉できる構造としたことから、下額縁を壁面から取り外すことなく壁紙の取替が簡単に行なえるようになった。
【００１３】
また、壁紙の絵・写真としては、適宜適時、見る人の好みに合わせて選択することができることから、見る人のこころを和ませることができ、見る人の精神を安定する上で極めて有用である。
特に浴室に設置した時には、ゆったりとくつろいだ快適な気分で長時間の入浴を楽しむことができる。
【００１４】
なお、本願発明は、個々人の利用に留まらずホテルの案内や宣伝にも使用することができ、また狭隘な壁面幅全体を利用できる額縁はトイレ等にも利用できる。
【発明を実施するための最良の形態】
【００１５】
図１は、本願発明の請求項１記載の発明の構造を示す図であって、壁紙１０を裏面から見た斜視図である。
凸起１７を設けられた紙状素材１６が、壁紙表紙１１と一体化されている。
【００１６】
壁紙表紙１１として用いられる印刷物・写真・絵画等は、使用される環境、例えば浴室の場合は高い温度や多湿の環境、に耐え得る機能を有する必要があり、一般にはパルプ紙や合成樹脂紙等が用いられ、また使用される環境に応じた表面処理、例えば塩化ビニールコーティング・アクリル液塗布・ラミネート加工等、が行われる。
なお、後記のように、壁紙表紙の四辺と紙状素材１６の四辺を溶融接着や接着剤による接着を行う場合は、壁紙表紙は表面だけの処理で足り、両面処理、例えばラミネート加工のような両面処理、までを必要としない。
【００１７】
紙状素材１６も壁紙表紙１１と同様であるが、その素材としては溶融接着や接着剤による接着の容易な材料が好都合であり、特に溶融接着が容易な材料、例えば合成樹脂紙、の場合には紙状素材の周辺を溶融・接着すれば壁紙表紙と容易に一体化して気密性を確保することができ、至便である。
凸起としては戴頭円錐を多数設けたものを図１に示しているが、この他に、多角形の形状のもの、線条の凸起を一方向に向けて多数設けたもの、あるいは線条の凸起を格子状に多数設けたもの等がある（図示省略）。
【００１８】
図２は、本願発明の請求項２記載の額縁の実施例の構造を示す斜視図である。額縁２０は下額縁２１と上額縁２６とからなり、実施例では下額縁に設ける凹部としては連続状の凹溝２２を採用し、上額縁に設ける凸起としては連続状の凸起条２７を採用し、凹溝と凸起条とが嵌合するようになっている。
【００１９】
図２の実施例では、凹溝２２は下額縁２１、凸起条２７は上額縁２６に設けられているが、逆であっても良い。また、凹部としては連続状の凹溝、凸起としては連続状の凸起条を採用しているが、連続状のものでなく多数の凹部・凸起から構成されるもの（図示省略）であっても良く、要は下額縁と上額縁とが壁紙１０を挟持できる程度に嵌合できる構造のものなら良い（図示省略）。
また、本実施例では、凸起条と凹溝とが嵌合する構造のものを示したが、下額縁と上額縁とが密着結合できる構造なら他の構造のもの、例えば鉤止部材付きファスナー（通称マジックテープ（登録商標））、を用いても良い。
【００２０】
図２に示す実施例の構造では、下額縁２１と上額縁２６とは一体化され一周辺で折り畳んで使用されるようになっているが、下額縁と上額縁とを別個のものとして製作し使用時に一体化する構造のものでも良い。
なお、額縁の素材としては、加工性・製造コストを考慮し、使用環境に応じた適切な素材、例えば、合成樹脂材・アルミ型材、が選択使用され、浴室用のものでは合成樹脂材が通常使用される。
【００２１】
図３は、壁紙１０を額縁２０に格納した状態のＡ矢視（図２）の断面図である。
壁紙の周囲は、下額縁２１と上額縁２６の内側縁とで挟みこまれ、凹溝２２と凸起条２７とが嵌合されることによって、壁紙の周囲は下額縁と上額縁の内側縁とで挟持される。
【００２２】
なお、壁面に下額縁２１を取り付ける方法は、使用環境に応じて、適切な方法、例えば接着剤・接着テープ・ねじ等、が採用される。
【産業上の利用可能性】
【００２３】
本願発明は、見る人のこころを和ませ見る人の精神面の健康を図る上でも多いに貢献できるものを提供するものであり、特に浴室に設置した時にはゆったりとくつろいだ快適な気分で長時間入浴を楽しむことができるものを提供するものであるから、健康産業に資すること大であり、産業上の利用可能性は極めて高いものである。
【００２４】
また、本願発明を製品化するに際しては、構成部品が写真・絵画等を含む多分野に及ぶことから、多くの産業分野においても役立つものである。
【００２５】
さらに、宣伝広告媒体としても使用できるものであり、産業上の利用可能性は極めて高いものである。
【図面の簡単な説明】
【００２６】
【図１】実施例の壁紙を裏面から見た斜視図である。
【図２】実施例の額縁の開の状態を示す斜視図である。
【図３】実施例のＡ矢視（図２）断面を示す断面図である。
【符号の説明】
【００２７】
１０    壁紙                    ２０    額縁
１１    壁紙表紙                ２１    下額縁
１６    紙状素材                ２２    凹溝
１７    凸起                    ２６    上額縁
２７    凸起条
【図１】
2007284819.tif 000003
【図２】
2007284819.tif 000004
【図３】
2007284819.tif 000005